(57)【要約】【課題】保険会社（商品委託者）と各代理店（販売代理者）との間の当日毎の保険料（商品代金）の精算を提供することのできるシステム等を提供することを課題とする。【解決手段】本発明にかかるシステムは、保険会社（商品委託者）の代理店（販売代理者）が回収した保険料（商品代金）の精算処理を実行する保険料当日精算装置（商品代金当日精算装置）１００と、代理店（販売代理者）の情報端末装置である代理店用端末装置（販売代理者用端末装置）２００と、保険会社（商品委託者）の各種業務処理を実行する保険会社センターシステム（商品委託者センターシステム）２５０と、各種の金融処理を実行する金融機関システム４００とを、ネットワーク３００を介して通信可能に接続して構成されている。【選択図】      図２
2004295812.tif 000002
【特許請求の範囲】
【請求項１】
保険会社の代理店が回収した保険料の当日毎の精算処理を実行する保険料当日精算装置であって、
上記代理店毎に、代理店ＩＤ、決済用の金融機関ＩＤおよび収納用口座番号を対応付けて格納する代理店情報格納手段と、
上記代理店ＩＤ、契約ＩＤおよび入金受入額を含む上記保険料の精算情報を上記代理店の代理店用端末装置から受信する精算情報受信手段と、
上記精算情報を送信した上記代理店の代理店ＩＤに基づいて、当該代理店の決済用の金融機関ＩＤおよび上記収納用口座番号を抽出して決済を行う金融機関を選択する決済機関選択手段と、
上記精算情報に基づいて振替情報を作成して、上記精算情報を送信した上記代理店の代理店用端末装置に送信し、支払内容を当該代理店に確認させた後、振替指示を送信させる支払内容確認手段と、
上記支払内容確認手段にて上記代理人の上記代理店用端末装置より送信された上記振替指示を受信した上記振替情報について上記決済を行う金融機関システムの振替フォーマットに整形し、当該金融機関システムに対して送信することにより、上記保険料の上記代理店の収納用口座番号から保険会社の収納用口座番号への当日振替を依頼する振替依頼手段と、
を備えたことを特徴とする保険料当日精算装置。
【請求項２】
上記金融機関システムから上記保険会社の収納用口座番号に対する入金明細情報を取得し、上記入金明細情報と上記振替情報とをマッチングすることにより支払結果の確認を行う支払結果確認手段、
をさらに備えたことを特徴とする請求項１に記載の保険料当日精算装置。
【請求項３】
上記支払結果確認手段により上記振替情報とマッチングできた入金確定分の上記入金明細情報に基づいて、上記代理店毎に集約した支払結果明細ファイルを作成し、上記代理店の代理店用端末装置および／または上記保険会社のセンターシステムに対して送信する決済状況確認手段、
をさらに備えたことを特徴とする請求項１または２に記載の保険料当日精算装置。
【請求項４】
保険会社の代理店が回収した保険料の当日毎の精算処理を実行する保険料当日精算装置において実行される保険料当日精算方法であって、
上記代理店毎に、代理店ＩＤ、決済用の金融機関ＩＤおよび収納用口座番号を対応付けて格納する代理店情報格納ステップと、
上記代理店ＩＤ、契約ＩＤおよび入金受入額を含む上記保険料の精算情報を上記代理店の代理店用端末装置から受信する精算情報受信ステップと、
上記精算情報を送信した上記代理店の代理店ＩＤに基づいて、当該代理店の決済用の金融機関ＩＤおよび上記収納用口座番号を抽出して決済を行う金融機関を選択する決済機関選択ステップと、
上記精算情報に基づいて振替情報を作成して、上記精算情報を送信した上記代理店の代理店用端末装置に送信し、支払内容を当該代理店に確認させた後、振替指示を送信させる支払内容確認ステップと、
上記支払内容確認ステップにて上記代理人の上記代理店用端末装置より送信された上記振替指示を受信した上記振替情報について上記決済を行う金融機関方法の振替フォーマットに整形し、当該金融機関方法に対して送信することにより、上記保険料の上記代理店の収納用口座番号から保険会社の収納用口座番号への当日振替を依頼する振替依頼ステップと、
を含むことを特徴とする保険料当日精算方法。
【請求項５】
上記金融機関方法から上記保険会社の収納用口座番号に対する入金明細情報を取得し、上記入金明細情報と上記振替情報とをマッチングすることにより支払結果の確認を行う支払結果確認ステップ、
をさらに含むことを特徴とする請求項４に記載の保険料当日精算方法。
【請求項６】
上記支払結果確認ステップにより上記振替情報とマッチングできた入金確定分の上記入金明細情報に基づいて、上記代理店毎に集約した支払結果明細ファイルを作成し、上記代理店の代理店用端末装置および／または上記保険会社のセンターシステムに対して送信する決済状況確認ステップ、
をさらに含むことを特徴とする請求項４または５に記載の保険料当日精算方法。
【請求項７】
保険会社の代理店が回収した保険料の当日毎の精算処理を実行する保険料当日精算方法をコンピュータに実行させるプログラムであって、
上記代理店毎に、代理店ＩＤ、決済用の金融機関ＩＤおよび収納用口座番号を対応付けて格納する代理店情報格納ステップと、
上記代理店ＩＤ、契約ＩＤおよび入金受入額を含む上記保険料の精算情報を上記代理店の代理店用端末装置から受信する精算情報受信ステップと、
上記精算情報を送信した上記代理店の代理店ＩＤに基づいて、当該代理店の決済用の金融機関ＩＤおよび上記収納用口座番号を抽出して決済を行う金融機関を選択する決済機関選択ステップと、
上記精算情報に基づいて振替情報を作成して、上記精算情報を送信した上記代理店の代理店用端末装置に送信し、支払内容を当該代理店に確認させた後、振替指示を送信させる支払内容確認ステップと、
上記支払内容確認ステップにて上記代理人の上記代理店用端末装置より送信された上記振替指示を受信した上記振替情報について上記決済を行う金融機関方法の振替フォーマットに整形し、当該金融機関方法に対して送信することにより、上記保険料の上記代理店の収納用口座番号から保険会社の収納用口座番号への当日振替を依頼する振替依頼ステップと、
を含む保険料当日精算方法をコンピュータに実行させることを特徴とするプログラム。
【請求項８】
上記金融機関方法から上記保険会社の収納用口座番号に対する入金明細情報を取得し、上記入金明細情報と上記振替情報とをマッチングすることにより支払結果の確認を行う支払結果確認ステップ、
をさらに含むことを特徴とする請求項７に記載のプログラム。
【請求項９】
上記支払結果確認ステップにより上記振替情報とマッチングできた入金確定分の上記入金明細情報に基づいて、上記代理店毎に集約した支払結果明細ファイルを作成し、上記代理店の代理店用端末装置および／または上記保険会社のセンターシステムに対して送信する決済状況確認ステップ、
をさらに含むことを特徴とする請求項７または８に記載のプログラム。
【請求項１０】
上記請求項７〜９のいずれか一つに記載されたプログラムを記録したことを特徴とするコンピュータ読み取り可能な記録媒体。
【請求項１１】
商品委託者の販売代理店が回収した商品代金の当日毎の精算処理を実行する商品代金当日精算装置であって、
上記販売代理店毎に、販売代理店ＩＤ、決済用の金融機関ＩＤおよび収納用口座番号を対応付けて格納する販売代理店情報格納手段と、
上記販売代理店ＩＤ、契約ＩＤおよび入金受入額を含む上記商品代金の精算情報を上記販売代理店の販売代理店用端末装置から受信する精算情報受信手段と、上記精算情報を送信した上記販売代理店の販売代理店ＩＤに基づいて、当該販売代理店の決済用の金融機関ＩＤおよび上記収納用口座番号を抽出して決済を行う金融機関を選択する決済機関選択手段と、
上記精算情報に基づいて振替情報を作成して、上記精算情報を送信した上記販売代理店の販売代理店用端末装置に送信し、支払内容を当該販売代理店に確認させた後、振替指示を送信させる支払内容確認手段と、
上記支払内容確認手段にて上記代理人の上記販売代理店用端末装置より送信された上記振替指示を受信した上記振替情報について上記決済を行う金融機関システムの振替フォーマットに整形し、当該金融機関システムに対して送信することにより、上記商品代金の上記販売代理店の収納用口座番号から商品委託者の収納用口座番号への当日振替を依頼する振替依頼手段と、
を備えたことを特徴とする商品代金当日精算装置。
【請求項１２】
上記金融機関システムから上記商品委託者の収納用口座番号に対する入金明細情報を取得し、上記入金明細情報と上記振替情報とをマッチングすることにより支払結果の確認を行う支払結果確認手段、
をさらに備えたことを特徴とする請求項１１に記載の商品代金当日精算装置。
【請求項１３】
上記支払結果確認手段により上記振替情報とマッチングできた入金確定分の上記入金明細情報に基づいて、上記販売代理店毎に集約した支払結果明細ファイルを作成し、上記販売代理店の販売代理店用端末装置および／または上記商品委託者のセンターシステムに対して送信する決済状況確認手段、をさらに備えたことを特徴とする請求項１１または１２に記載の商品代金当日精算装置。
【請求項１４】
商品委託者の販売代理店が回収した商品代金の当日毎の精算処理を実行する商品代金当日精算装置において実行される商品代金当日精算方法であって、
上記販売代理店毎に、販売代理店ＩＤ、決済用の金融機関ＩＤおよび収納用口座番号を対応付けて格納する販売代理店情報格納ステップと、
上記販売代理店ＩＤ、契約ＩＤおよび入金受入額を含む上記商品代金の精算情報を上記販売代理店の販売代理店用端末装置から受信する精算情報受信ステップと、
上記精算情報を送信した上記販売代理店の販売代理店ＩＤに基づいて、当該販売代理店の決済用の金融機関ＩＤおよび上記収納用口座番号を抽出して決済を行う金融機関を選択する決済機関選択ステップと、
上記精算情報に基づいて振替情報を作成して、上記精算情報を送信した上記販売代理店の販売代理店用端末装置に送信し、支払内容を当該販売代理店に確認させた後、振替指示を送信させる支払内容確認ステップと、
上記支払内容確認ステップにて上記代理人の上記販売代理店用端末装置より送信された上記振替指示を受信した上記振替情報について上記決済を行う金融機関方法の振替フォーマットに整形し、当該金融機関方法に対して送信することにより、上記商品代金の上記販売代理店の収納用口座番号から商品委託者の収納用口座番号への当日振替を依頼する振替依頼ステップと、
を含むことを特徴とする商品代金当日精算方法。
【請求項１５】
上記金融機関方法から上記商品委託者の収納用口座番号に対する入金明細情報を取得し、上記入金明細情報と上記振替情報とをマッチングすることにより支払結果の確認を行う支払結果確認ステップ、
をさらに含むことを特徴とする請求項１４に記載の商品代金当日精算方法。
【請求項１６】
上記支払結果確認ステップにより上記振替情報とマッチングできた入金確定分の上記入金明細情報に基づいて、上記販売代理店毎に集約した支払結果明細ファイルを作成し、上記販売代理店の販売代理店用端末装置および／または上記商品委託者のセンターシステムに対して送信する決済状況確認ステップ、
をさらに含むことを特徴とする請求項１４または１５に記載の商品代金当日精算方法。
【請求項１７】
商品委託者の販売代理店が回収した商品代金の当日毎の精算処理を実行する商品代金当日精算方法をコンピュータに実行させるプログラムであって、
上記販売代理店毎に、販売代理店ＩＤ、決済用の金融機関ＩＤおよび収納用口座番号を対応付けて格納する販売代理店情報格納ステップと、
上記販売代理店ＩＤ、契約ＩＤおよび入金受入額を含む上記商品代金の精算情報を上記販売代理店の販売代理店用端末装置から受信する精算情報受信ステップと、
上記精算情報を送信した上記販売代理店の販売代理店ＩＤに基づいて、当該販売代理店の決済用の金融機関ＩＤおよび上記収納用口座番号を抽出して決済を行う金融機関を選択する決済機関選択ステップと、
上記精算情報に基づいて振替情報を作成して、上記精算情報を送信した上記販売代理店の販売代理店用端末装置に送信し、支払内容を当該販売代理店に確認させた後、振替指示を送信させる支払内容確認ステップと、
上記支払内容確認ステップにて上記代理人の上記販売代理店用端末装置より送信された上記振替指示を受信した上記振替情報について上記決済を行う金融機関方法の振替フォーマットに整形し、当該金融機関方法に対して送信することにより、上記商品代金の上記販売代理店の収納用口座番号から商品委託者の収納用口座番号への当日振替を依頼する振替依頼ステップと、
を含む商品代金当日精算方法をコンピュータに実行させることを特徴とするプログラム。
【請求項１８】
上記金融機関方法から上記商品委託者の収納用口座番号に対する入金明細情報を取得し、上記入金明細情報と上記振替情報とをマッチングすることにより支払結果の確認を行う支払結果確認ステップ、
をさらに含むことを特徴とする請求項１７に記載のプログラム。
【請求項１９】
上記支払結果確認ステップにより上記振替情報とマッチングできた入金確定分の上記入金明細情報に基づいて、上記販売代理店毎に集約した支払結果明細ファイルを作成し、上記販売代理店の販売代理店用端末装置および／または上記商品委託者のセンターシステムに対して送信する決済状況確認ステップ、
をさらに含むことを特徴とする請求項１７または１８に記載のプログラム。
【請求項２０】
上記請求項１７〜１９のいずれか一つに記載されたプログラムを記録したことを特徴とするコンピュータ読み取り可能な記録媒体。
【発明の詳細な説明】
【０００１】
【発明の属する技術分野】
本発明は、保険料当日精算装置、保険料当日精算方法、プログラム、および、記録媒体に関し、特に、保険会社と各代理店との間の当日毎の保険料の精算を提供することのできる保険料当日精算装置、保険料当日精算方法、プログラム、および、記録媒体に関する。
【０００２】
なお、本明細書において、「代理店」の用語は、保険会社が保険契約や保険料回収などの業務を委託した者の意味で用いており、生命保険や損害保険などを扱う保険会社が個別に業務委託した代理店（代理店が個人の場合には当該個人、また、代理店が法人の場合にはその法人に属する営業担当者など）の他、保険会社内部の営業担当者を含む概念として用いるものとする。
【０００３】
また、本発明は、商品代金当日精算装置、商品代金当日精算方法、プログラム、および、記録媒体に関し、特に、商品委託者と各販売代理者との間の当日毎の商品代金の精算を提供することのできる商品代金当日精算装置、商品代金当日精算方法、プログラム、および、記録媒体に関する。
【０００４】
なお、本明細書において、「販売代理者」の用語は、商品委託者が商品契約や商品代金回収などの業務を委託した者の意味で用いており、商品委託者が個別に業務委託した販売代理店（代理店が個人の場合には当該個人、また、代理店が法人の場合にはその法人に属する営業担当者など）の他、商品委託者の内部の営業担当者などを含む概念として用いるものとする。
【０００５】
【従来の技術】
従来より、企業等の保険会社が、代理店に対して保険料回収業務を委託することが行われている。
【０００６】
ここで、代理店は、保険会社からファックス装置や電子メールや郵送等により送付された保険料回収書等に基づいて、保険者から保険料の回収業務を行い、徴収した保険料を保険会社に送金する必要がある。この場合の送金手段としては、銀行などの金融機関の振込みサービスを用いて保険会社の収納用の契約口座に入金することが一般的に行われている。
【０００７】
【発明が解決しようとする課題】
しかしながら、このような従来の保険料回収業務システムは、以下の構造上の基本的問題点を有していた。
【０００８】
まず、保険会社から保険料回収書の送付により代理店に回収業務の指示を行っているが、指示の徹底や進捗の確認などに人手と時間と費用がかかるという問題点がある。すなわち、一般に保険会社は、数千から数万の代理店と契約を行い保険に関する業務委託を行うことが通常であるため、各代理店の保険料回収業務の進捗確認などが非常に煩雑になっている。
【０００９】
ここで、代理店では、回収業務を顧客（保険者）に対して遂行し、顧客（保険者）から徴収した保険料を保険会社の収納用の契約口座に振り込まなければならないが、現状の保険料回収システムにおいて、代理店から保険会社に対する保険料の振込は毎日行うものは存在しておらず、月に１〜数回程度である。
【００１０】
従って、代理店が顧客から回収した保険料を自分で管理している期間が長いため盗難などの事故の可能性が高く、また、保険会社側で保険料の回収状況を正確に把握することができないという問題点があった。
【００１１】
また、代理店側からみれば、保険料回収業務の内容によっては銀行の営業時間内に振り込めない場合も多く、不便であるという問題点がある。すなわち、金融機関の振込みサービスは一般に金融機関の営業時間内（９時〜１５時等）しか提供されないため、代理店では平日の昼間帯に金融機関に必ず行く必要があるため保険料回収業務の遂行に支障を来たす場合も多く、また、夜間に料金を集金したときには翌日まで料金の振込を待つ必要があった。
【００１２】
また、自己の契約口座に代理店から料金の振込みを受けた保険会社は、どの業務に対する振込みであるかを確認することが困難であり、入金の消し込み作業が煩雑であるという問題点がある。すなわち、金融機関の振込みサービスでは、通常、振込者と振込金額しかわからないため、複数の業務を代理店に委託した場合には、保険会社においてどの保険料回収業務に対する振込かを特定し帳簿上で入金の消し込みを行うことが困難であった。
【００１３】
なお、これまで説明した従来の技術および発明が解決しようとする課題は、保険料回収の場合に限られず、例えばタバコ販売などのように商品委託者であるＪＴ（登録商標）が各販売代理店（町のタバコ屋）に商品販売を委託し、商品代金を回収する場合において、同様に考えることができる。
【００１４】
このように、数々の問題点を有しており、その結果、保険会社（商品委託者）および代理店（販売代理者）のいずれにとっても、利便性が悪く、また、利用効率が悪いものであった。
【００１５】
本発明は上記問題点に鑑みてなされたもので、保険会社（商品委託者）と各代理店（販売代理者）との間の当日毎の保険料の精算を提供することのできる、保険料当日精算装置、保険料当日精算方法、商品代金当日精算装置、商品代金当日精算方法、プログラム、および、記録媒体を提供することを目的としている。
【００１６】
【課題を解決するための手段】
このような目的を達成するため、請求項１に記載の保険料当日精算装置は、保険会社の代理店が回収した保険料の当日毎の精算処理を実行する保険料当日精算装置であって、上記代理店毎に、代理店ＩＤ、決済用の金融機関ＩＤおよび収納用口座番号を対応付けて格納する代理店情報格納手段と、上記代理店ＩＤ、契約ＩＤおよび入金受入額を含む上記保険料の精算情報を上記代理店の代理店用端末装置から受信する精算情報受信手段と、上記精算情報を送信した上記代理店の代理店ＩＤに基づいて、当該代理店の決済用の金融機関ＩＤおよび上記収納用口座番号を抽出して決済を行う金融機関を選択する決済機関選択手段と、上記精算情報に基づいて振替情報を作成して、上記精算情報を送信した上記代理店の代理店用端末装置に送信し、支払内容を当該代理店に確認させた後、振替指示を送信させる支払内容確認手段と、上記支払内容確認手段にて上記代理人の上記代理店用端末装置より送信された上記振替指示を受信した上記振替情報について上記決済を行う金融機関システムの振替フォーマットに整形し、当該金融機関システムに対して送信することにより、上記保険料の上記代理店の収納用口座番号から保険会社の収納用口座番号への当日振替を依頼する振替依頼手段とを備えたことを特徴とする。
【００１７】
この装置によれば、代理店毎に、代理店ＩＤ、決済用の金融機関ＩＤおよび収納用口座番号を対応付けて格納し、代理店ＩＤ、契約ＩＤおよび入金受入額を含む保険料の精算情報を代理店の代理店用端末装置から受信し、精算情報を送信した代理店の代理店ＩＤに基づいて、当該代理店の決済用の金融機関ＩＤおよび収納用口座番号を抽出して決済を行う金融機関を選択し、精算情報に基づいて振替情報を作成して、精算情報を送信した代理店の代理店用端末装置に送信し、支払内容を当該代理店に確認させた後、振替指示を送信させ、代理人の代理店用端末装置より送信された振替指示を受信した振替情報について決済を行う金融機関システムの振替フォーマットに整形し、当該金融機関システムに対して送信することにより、保険料の代理店の収納用口座番号から保険会社の収納用口座番号への当日振替を依頼するので、各代理店の保険料回収業務を当日毎に実行することができ、また、代理店が顧客から回収した保険料を自分で管理している期間が少なくなり盗難などの事故の可能性を飛躍的に低減することができ、さらに、各代理店の回収業務の進捗確認などを当日毎に正確に実行することができるようになる。
【００１８】
この装置によれば、保険会社の各代理店からの保険料の収納代行を行うことができるようになる。すなわち、この装置が存在していない場合には、保険会社が多くの金融機関に口座を開設し、それぞれについて当日精算処理を行わなければならなかったが、本装置によれば、金融機関ごとの代理店精算を纏めて各保険会社に報告し、収納資金を一括送信することができるようになる。
【００１９】
また、この装置によれば、既存のＷｅｂを用いた代理店システムや、金融機関システムの機能を有効に利用、組合せし、多機能な精算処理を実現することができる。すなわち、従来の代理店業務システムや金融機関システムの改造の負荷を最小限にし、かつ、初期コストやランニングコストを最小限にすることができる。また、将来の機能変更に対して柔軟性、拡張性を持たせることができる。
【００２０】
また、請求項２に記載の保険料当日精算装置は、請求項１に記載の保険料当日精算装置において、上記金融機関システムから上記保険会社の収納用口座番号に対する入金明細情報を取得し、上記入金明細情報と上記振替情報とをマッチングすることにより支払結果の確認を行う支払結果確認手段をさらに備えたことを特徴とする。
【００２１】
この装置によれば、金融機関システムから保険会社の収納用口座番号に対する入金明細情報を取得し、入金明細情報と振替情報とをマッチングすることにより支払結果の確認を行うので、自己の契約口座に代理店から料金の振込みを受けた保険会社が、どの業務に対する振込みであるか確認することを自動的に実行することができ、入金の消し込み作業を極めて効率的に実行することができるようになる。
【００２２】
すなわち、既存の金融機関の振込みサービスでは、通常、振込者と振込金額しかわからないため、複数の業務を代理店に委託した場合には、保険会社においてどの保険料回収業務に対する振込かを特定し帳簿上で入金の消し込みを行うことが困難であったが、本システムによれば、入金明細と振替情報とのマッチング処理を自動化することにより、このような煩雑な作業が開放され、入金確認業務を飛躍的に向上させることができるようになる。
【００２３】
また、請求項３に記載の保険料当日精算装置は、請求項１または２に記載の保険料当日精算装置において、上記支払結果確認手段により上記振替情報とマッチングできた入金確定分の上記入金明細情報に基づいて、上記代理店毎に集約した支払結果明細ファイルを作成し、上記代理店の代理店用端末装置および／または上記保険会社のセンターシステムに対して送信する決済状況確認手段をさらに備えたことを特徴とする。
【００２４】
この装置によれば、振替情報とマッチングできた入金確定分の入金明細情報に基づいて、代理店毎に集約した支払結果明細ファイルを作成し、代理店の代理店用端末装置および／または保険会社のセンターシステムに対して送信するので、決済結果の確認をスムーズに行うことができるようになり、さらに、代理店や保険会社に対して確認結果を通知することができるようになる。
【００２５】
また、この装置によれば、複数の金融機関の入金明細情報をひとつに纏めて代理店毎に集約した支払結果明細ファイルを作成することもできるので、決済結果の確認をスムーズに行うことができるようになり、さらに、代理店や保険会社に対して確認結果を通知することができるようになる。
【００２６】
また、本発明は保険料当日精算方法に関するものであり、請求項４に記載の保険料当日精算方法は、保険会社の代理店が回収した保険料の当日毎の精算処理を実行する保険料当日精算装置において実行される保険料当日精算方法であって、上記代理店毎に、代理店ＩＤ、決済用の金融機関ＩＤおよび収納用口座番号を対応付けて格納する代理店情報格納ステップと、上記代理店ＩＤ、契約ＩＤおよび入金受入額を含む上記保険料の精算情報を上記代理店の代理店用端末装置から受信する精算情報受信ステップと、上記精算情報を送信した上記代理店の代理店ＩＤに基づいて、当該代理店の決済用の金融機関ＩＤおよび上記収納用口座番号を抽出して決済を行う金融機関を選択する決済機関選択ステップと、上記精算情報に基づいて振替情報を作成して、上記精算情報を送信した上記代理店の代理店用端末装置に送信し、支払内容を当該代理店に確認させた後、振替指示を送信させる支払内容確認ステップと、上記支払内容確認ステップにて上記代理人の上記代理店用端末装置より送信された上記振替指示を受信した上記振替情報について上記決済を行う金融機関方法の振替フォーマットに整形し、当該金融機関方法に対して送信することにより、上記保険料の上記代理店の収納用口座番号から保険会社の収納用口座番号への当日振替を依頼する振替依頼ステップとを含むことを特徴とする。
【００２７】
この方法によれば、代理店毎に、代理店ＩＤ、決済用の金融機関ＩＤおよび収納用口座番号を対応付けて格納し、代理店ＩＤ、契約ＩＤおよび入金受入額を含む保険料の精算情報を代理店の代理店用端末装置から受信し、精算情報を送信した代理店の代理店ＩＤに基づいて、当該代理店の決済用の金融機関ＩＤおよび収納用口座番号を抽出して決済を行う金融機関を選択し、精算情報に基づいて振替情報を作成して、精算情報を送信した代理店の代理店用端末装置に送信し、支払内容を当該代理店に確認させた後、振替指示を送信させ、代理人の代理店用端末装置より送信された振替指示を受信した振替情報について決済を行う金融機関方法の振替フォーマットに整形し、当該金融機関方法に対して送信することにより、保険料の代理店の収納用口座番号から保険会社の収納用口座番号への当日振替を依頼するので、各代理店の保険料回収業務を当日毎に実行することができ、また、代理店が顧客から回収した保険料を自分で管理している期間が少なくなり盗難などの事故の可能性を飛躍的に低減することができ、さらに、各代理店の回収業務の進捗確認などを当日毎に正確に実行することができるようになる。
【００２８】
この方法によれば、保険会社の各代理店からの保険料の収納代行を行うことができるようになる。すなわち、この方法が存在していない場合には、保険会社が多くの金融機関に口座を開設し、それぞれについて当日精算処理を行わなければならなかったが、本方法によれば、金融機関ごとの代理店精算を纏めて各保険会社に報告し、収納資金を一括送信することができるようになる。
【００２９】
また、この方法によれば、既存のＷｅｂを用いた代理店方法や、金融機関方法の機能を有効に利用、組合せし、多機能な精算処理を実現することができる。すなわち、従来の代理店業務方法や金融機関方法の改造の負荷を最小限にし、かつ、初期コストやランニングコストを最小限にすることができる。また、将来の機能変更に対して柔軟性、拡張性を持たせることができる。
【００３０】
また、請求項５に記載の保険料当日精算方法は、請求項４に記載の保険料当日精算方法において、上記金融機関方法から上記保険会社の収納用口座番号に対する入金明細情報を取得し、上記入金明細情報と上記振替情報とをマッチングすることにより支払結果の確認を行う支払結果確認ステップをさらに含むことを特徴とする。
【００３１】
この方法によれば、金融機関方法から保険会社の収納用口座番号に対する入金明細情報を取得し、入金明細情報と振替情報とをマッチングすることにより支払結果の確認を行うので、自己の契約口座に代理店から料金の振込みを受けた保険会社が、どの業務に対する振込みであるか確認することを自動的に実行することができ、入金の消し込み作業を極めて効率的に実行することができるようになる。
【００３２】
すなわち、既存の金融機関の振込みサービスでは、通常、振込者と振込金額しかわからないため、複数の業務を代理店に委託した場合には、保険会社においてどの保険料回収業務に対する振込かを特定し帳簿上で入金の消し込みを行うことが困難であったが、本方法によれば、入金明細と振替情報とのマッチング処理を自動化することにより、このような煩雑な作業が開放され、入金確認業務を飛躍的に向上させることができるようになる。
【００３３】
また、請求項６に記載の保険料当日精算方法は、請求項４または５に記載の保険料当日精算方法において、上記支払結果確認ステップにより上記振替情報とマッチングできた入金確定分の上記入金明細情報に基づいて、上記代理店毎に集約した支払結果明細ファイルを作成し、上記代理店の代理店用端末装置および／または上記保険会社のセンターシステムに対して送信する決済状況確認ステップをさらに含むことを特徴とする。
【００３４】
この方法によれば、振替情報とマッチングできた入金確定分の入金明細情報に基づいて、代理店毎に集約した支払結果明細ファイルを作成し、代理店の代理店用端末装置および／または保険会社のセンターシステムに対して送信するので、決済結果の確認をスムーズに行うことができるようになり、さらに、代理店や保険会社に対して確認結果を通知することができるようになる。
【００３５】
また、この方法によれば、複数の金融機関の入金明細情報をひとつに纏めて代理店毎に集約した支払結果明細ファイルを作成することもできるので、決済結果の確認をスムーズに行うことができるようになり、さらに、代理店や保険会社に対して確認結果を通知することができるようになる。
【００３６】
また、本発明はプログラムに関するものであり、請求項７に記載のプログラムは、保険会社の代理店が回収した保険料の当日毎の精算処理を実行する保険料当日精算方法をコンピュータに実行させるプログラムであって、上記代理店毎に、代理店ＩＤ、決済用の金融機関ＩＤおよび収納用口座番号を対応付けて格納する代理店情報格納ステップと、上記代理店ＩＤ、契約ＩＤおよび入金受入額を含む上記保険料の精算情報を上記代理店の代理店用端末装置から受信する精算情報受信ステップと、上記精算情報を送信した上記代理店の代理店ＩＤに基づいて、当該代理店の決済用の金融機関ＩＤおよび上記収納用口座番号を抽出して決済を行う金融機関を選択する決済機関選択ステップと、上記精算情報に基づいて振替情報を作成して、上記精算情報を送信した上記代理店の代理店用端末装置に送信し、支払内容を当該代理店に確認させた後、振替指示を送信させる支払内容確認ステップと、上記支払内容確認ステップにて上記代理人の上記代理店用端末装置より送信された上記振替指示を受信した上記振替情報について上記決済を行う金融機関プログラムの振替フォーマットに整形し、当該金融機関プログラムに対して送信することにより、上記保険料の上記代理店の収納用口座番号から保険会社の収納用口座番号への当日振替を依頼する振替依頼ステップとを含む保険料当日精算方法をコンピュータに実行させることを特徴とする。
【００３７】
このプログラムによれば、代理店毎に、代理店ＩＤ、決済用の金融機関ＩＤおよび収納用口座番号を対応付けて格納し、代理店ＩＤ、契約ＩＤおよび入金受入額を含む保険料の精算情報を代理店の代理店用端末装置から受信し、精算情報を送信した代理店の代理店ＩＤに基づいて、当該代理店の決済用の金融機関ＩＤおよび収納用口座番号を抽出して決済を行う金融機関を選択し、精算情報に基づいて振替情報を作成して、精算情報を送信した代理店の代理店用端末装置に送信し、支払内容を当該代理店に確認させた後、振替指示を送信させ、代理人の代理店用端末装置より送信された振替指示を受信した振替情報について決済を行う金融機関プログラムの振替フォーマットに整形し、当該金融機関プログラムに対して送信することにより、保険料の代理店の収納用口座番号から保険会社の収納用口座番号への当日振替を依頼するので、各代理店の保険料回収業務を当日毎に実行することができ、また、代理店が顧客から回収した保険料を自分で管理している期間が少なくなり盗難などの事故の可能性を飛躍的に低減することができ、さらに、各代理店の回収業務の進捗確認などを当日毎に正確に実行することができるようになる。
【００３８】
このプログラムによれば、保険会社の各代理店からの保険料の収納代行を行うことができるようになる。すなわち、このプログラムが存在していない場合には、保険会社が多くの金融機関に口座を開設し、それぞれについて当日精算処理を行わなければならなかったが、本プログラムによれば、金融機関ごとの代理店精算を纏めて各保険会社に報告し、収納資金を一括送信することができるようになる。
【００３９】
また、このプログラムによれば、既存のＷｅｂを用いた代理店プログラムや、金融機関プログラムの機能を有効に利用、組合せし、多機能な精算処理を実現することができる。すなわち、従来の代理店業務プログラムや金融機関プログラムの改造の負荷を最小限にし、かつ、初期コストやランニングコストを最小限にすることができる。また、将来の機能変更に対して柔軟性、拡張性を持たせることができる。
【００４０】
また、請求項８に記載のプログラムは、請求項７に記載のプログラムにおいて、上記金融機関プログラムから上記保険会社の収納用口座番号に対する入金明細情報を取得し、上記入金明細情報と上記振替情報とをマッチングすることにより支払結果の確認を行う支払結果確認ステップをさらに含むことを特徴とする。
【００４１】
このプログラムによれば、金融機関プログラムから保険会社の収納用口座番号に対する入金明細情報を取得し、入金明細情報と振替情報とをマッチングすることにより支払結果の確認を行うので、自己の契約口座に代理店から料金の振込みを受けた保険会社が、どの業務に対する振込みであるか確認することを自動的に実行することができ、入金の消し込み作業を極めて効率的に実行することができるようになる。
【００４２】
すなわち、既存の金融機関の振込みサービスでは、通常、振込者と振込金額しかわからないため、複数の業務を代理店に委託した場合には、保険会社においてどの保険料回収業務に対する振込かを特定し帳簿上で入金の消し込みを行うことが困難であったが、本プログラムによれば、入金明細と振替情報とのマッチング処理を自動化することにより、このような煩雑な作業が開放され、入金確認業務を飛躍的に向上させることができるようになる。
【００４３】
また、請求項９に記載のプログラムは、請求項７または８に記載のプログラムにおいて、上記支払結果確認ステップにより上記振替情報とマッチングできた入金確定分の上記入金明細情報に基づいて、上記代理店毎に集約した支払結果明細ファイルを作成し、上記代理店の代理店用端末装置および／または上記保険会社のセンターシステムに対して送信する決済状況確認ステップをさらに含むことを特徴とする。
【００４４】
このプログラムによれば、振替情報とマッチングできた入金確定分の入金明細情報に基づいて、代理店毎に集約した支払結果明細ファイルを作成し、代理店の代理店用端末装置および／または保険会社のセンターシステムに対して送信するので、決済結果の確認をスムーズに行うことができるようになり、さらに、代理店や保険会社に対して確認結果を通知することができるようになる。
【００４５】
また、このプログラムによれば、複数の金融機関の入金明細情報をひとつに纏めて代理店毎に集約した支払結果明細ファイルを作成することもできるので、決済結果の確認をスムーズに行うことができるようになり、さらに、代理店や保険会社に対して確認結果を通知することができるようになる。
【００４６】
また、本発明は記録媒体に関するものであり、請求項１０に記載の記録媒体は、上記請求項７〜９のいずれか一つに記載されたプログラムをコンピュータに実行させるためのプログラムを記録したことを特徴とする。
【００４７】
この記録媒体によれば、当該記録媒体に記録されたプログラムをコンピュータに読み取らせて実行することによって、請求項７〜９のいずれか一つに記載されたプログラムをコンピュータを利用して実現することができ、これら各プログラムと同様の効果を得ることができる。
【００４８】
また本発明は商品代金当日精算装置に関するものであり、請求項１１に記載の商品代金当日精算装置は、商品委託者の販売代理者が回収した商品代金の当日毎の精算処理を実行する商品代金当日精算装置であって、上記販売代理者毎に、販売代理者ＩＤ、決済用の金融機関ＩＤおよび収納用口座番号を対応付けて格納する販売代理者情報格納手段と、上記販売代理者ＩＤ、契約ＩＤおよび入金受入額を含む上記商品代金の精算情報を上記販売代理者の販売代理者用端末装置から受信する精算情報受信手段と、上記精算情報を送信した上記販売代理者の販売代理者ＩＤに基づいて、当該販売代理者の決済用の金融機関ＩＤおよび上記収納用口座番号を抽出して決済を行う金融機関を選択する決済機関選択手段と、上記精算情報に基づいて振替情報を作成して、上記精算情報を送信した上記販売代理者の販売代理者用端末装置に送信し、支払内容を当該販売代理者に確認させた後、振替指示を送信させる支払内容確認手段と、上記支払内容確認手段にて上記代理人の上記販売代理者用端末装置より送信された上記振替指示を受信した上記振替情報について上記決済を行う金融機関システムの振替フォーマットに整形し、当該金融機関システムに対して送信することにより、上記商品代金の上記販売代理者の収納用口座番号から商品委託者の収納用口座番号への当日振替を依頼する振替依頼手段とを備えたことを特徴とする。
【００４９】
この装置によれば、販売代理者毎に、販売代理者ＩＤ、決済用の金融機関ＩＤおよび収納用口座番号を対応付けて格納し、販売代理者ＩＤ、契約ＩＤおよび入金受入額を含む商品代金の精算情報を販売代理者の販売代理者用端末装置から受信し、精算情報を送信した販売代理者の販売代理者ＩＤに基づいて、当該販売代理者の決済用の金融機関ＩＤおよび収納用口座番号を抽出して決済を行う金融機関を選択し、精算情報に基づいて振替情報を作成して、精算情報を送信した販売代理者の販売代理者用端末装置に送信し、支払内容を当該販売代理者に確認させた後、振替指示を送信させ、代理人の販売代理者用端末装置より送信された振替指示を受信した振替情報について決済を行う金融機関システムの振替フォーマットに整形し、当該金融機関システムに対して送信することにより、商品代金の販売代理者の収納用口座番号から商品委託者の収納用口座番号への当日振替を依頼するので、各販売代理者の商品代金回収業務を当日毎に実行することができ、また、販売代理者が顧客から回収した商品代金を自分で管理している期間が少なくなり盗難などの事故の可能性を飛躍的に低減することができ、さらに、各販売代理者の回収業務の進捗確認などを当日毎に正確に実行することができるようになる。
【００５０】
この装置によれば、商品委託者の各販売代理者からの商品代金の収納代行を行うことができるようになる。すなわち、この装置が存在していない場合には、商品委託者が多くの金融機関に口座を開設し、それぞれについて当日精算処理を行わなければならなかったが、本装置によれば、金融機関ごとの販売代理者精算を纏めて各商品委託者に報告し、収納資金を一括送信することができるようになる。
【００５１】
また、この装置によれば、既存のＷｅｂを用いた販売代理者システムや、金融機関システムの機能を有効に利用、組合せし、多機能な精算処理を実現することができる。すなわち、従来の販売代理者業務システムや金融機関システムの改造の負荷を最小限にし、かつ、初期コストやランニングコストを最小限にすることができる。また、将来の機能変更に対して柔軟性、拡張性を持たせることができる。
【００５２】
また、請求項１２に記載の商品代金当日精算装置は、請求項１１に記載の商品代金当日精算装置において、上記金融機関システムから上記商品委託者の収納用口座番号に対する入金明細情報を取得し、上記入金明細情報と上記振替情報とをマッチングすることにより支払結果の確認を行う支払結果確認手段をさらに備えたことを特徴とする。
【００５３】
この装置によれば、金融機関システムから商品委託者の収納用口座番号に対する入金明細情報を取得し、入金明細情報と振替情報とをマッチングすることにより支払結果の確認を行うので、自己の契約口座に販売代理者から料金の振込みを受けた商品委託者が、どの業務に対する振込みであるか確認することを自動的に実行することができ、入金の消し込み作業を極めて効率的に実行することができるようになる。
【００５４】
すなわち、既存の金融機関の振込みサービスでは、通常、振込者と振込金額しかわからないため、複数の業務を販売代理者に委託した場合には、商品委託者においてどの商品代金回収業務に対する振込かを特定し帳簿上で入金の消し込みを行うことが困難であったが、本システムによれば、入金明細と振替情報とのマッチング処理を自動化することにより、このような煩雑な作業が開放され、入金確認業務を飛躍的に向上させることができるようになる。
【００５５】
また、請求項１３に記載の商品代金当日精算装置は、請求項１１または１２に記載の商品代金当日精算装置において、上記支払結果確認手段により上記振替情報とマッチングできた入金確定分の上記入金明細情報に基づいて、上記販売代理者毎に集約した支払結果明細ファイルを作成し、上記販売代理者の販売代理者用端末装置および／または上記商品委託者のセンターシステムに対して送信する決済状況確認手段をさらに備えたことを特徴とする。
【００５６】
この装置によれば、振替情報とマッチングできた入金確定分の入金明細情報に基づいて、販売代理者毎に集約した支払結果明細ファイルを作成し、販売代理者の販売代理者用端末装置および／または商品委託者のセンターシステムに対して送信するので、決済結果の確認をスムーズに行うことができるようになり、さらに、販売代理者や商品委託者に対して確認結果を通知することができるようになる。
【００５７】
また、この装置によれば、複数の金融機関の入金明細情報をひとつに纏めて販売代理者毎に集約した支払結果明細ファイルを作成することもできるので、決済結果の確認をスムーズに行うことができるようになり、さらに、販売代理者や商品委託者に対して確認結果を通知することができるようになる。
【００５８】
また、本発明は商品代金当日精算方法に関するものであり、請求項１４に記載の商品代金当日精算方法は、商品委託者の販売代理者が回収した商品代金の当日毎の精算処理を実行する商品代金当日精算装置において実行される商品代金当日精算方法であって、上記販売代理者毎に、販売代理者ＩＤ、決済用の金融機関ＩＤおよび収納用口座番号を対応付けて格納する販売代理者情報格納ステップと、上記販売代理者ＩＤ、契約ＩＤおよび入金受入額を含む上記商品代金の精算情報を上記販売代理者の販売代理者用端末装置から受信する精算情報受信ステップと、上記精算情報を送信した上記販売代理者の販売代理者ＩＤに基づいて、当該販売代理者の決済用の金融機関ＩＤおよび上記収納用口座番号を抽出して決済を行う金融機関を選択する決済機関選択ステップと、上記精算情報に基づいて振替情報を作成して、上記精算情報を送信した上記販売代理者の販売代理者用端末装置に送信し、支払内容を当該販売代理者に確認させた後、振替指示を送信させる支払内容確認ステップと、上記支払内容確認ステップにて上記代理人の上記販売代理者用端末装置より送信された上記振替指示を受信した上記振替情報について上記決済を行う金融機関方法の振替フォーマットに整形し、当該金融機関方法に対して送信することにより、上記商品代金の上記販売代理者の収納用口座番号から商品委託者の収納用口座番号への当日振替を依頼する振替依頼ステップとを含むことを特徴とする。
【００５９】
この方法によれば、販売代理者毎に、販売代理者ＩＤ、決済用の金融機関ＩＤおよび収納用口座番号を対応付けて格納し、販売代理者ＩＤ、契約ＩＤおよび入金受入額を含む商品代金の精算情報を販売代理者の販売代理者用端末装置から受信し、精算情報を送信した販売代理者の販売代理者ＩＤに基づいて、当該販売代理者の決済用の金融機関ＩＤおよび収納用口座番号を抽出して決済を行う金融機関を選択し、精算情報に基づいて振替情報を作成して、精算情報を送信した販売代理者の販売代理者用端末装置に送信し、支払内容を当該販売代理者に確認させた後、振替指示を送信させ、代理人の販売代理者用端末装置より送信された振替指示を受信した振替情報について決済を行う金融機関方法の振替フォーマットに整形し、当該金融機関方法に対して送信することにより、商品代金の販売代理者の収納用口座番号から商品委託者の収納用口座番号への当日振替を依頼するので、各販売代理者の商品代金回収業務を当日毎に実行することができ、また、販売代理者が顧客から回収した商品代金を自分で管理している期間が少なくなり盗難などの事故の可能性を飛躍的に低減することができ、さらに、各販売代理者の回収業務の進捗確認などを当日毎に正確に実行することができるようになる。
【００６０】
この方法によれば、商品委託者の各販売代理者からの商品代金の収納代行を行うことができるようになる。すなわち、この方法が存在していない場合には、商品委託者が多くの金融機関に口座を開設し、それぞれについて当日精算処理を行わなければならなかったが、本方法によれば、金融機関ごとの販売代理者精算を纏めて各商品委託者に報告し、収納資金を一括送信することができるようになる。
【００６１】
また、この方法によれば、既存のＷｅｂを用いた販売代理者方法や、金融機関方法の機能を有効に利用、組合せし、多機能な精算処理を実現することができる。すなわち、従来の販売代理者業務方法や金融機関方法の改造の負荷を最小限にし、かつ、初期コストやランニングコストを最小限にすることができる。また、将来の機能変更に対して柔軟性、拡張性を持たせることができる。
【００６２】
また、請求項１５に記載の商品代金当日精算方法は、請求項１４に記載の商品代金当日精算方法において、上記金融機関方法から上記商品委託者の収納用口座番号に対する入金明細情報を取得し、上記入金明細情報と上記振替情報とをマッチングすることにより支払結果の確認を行う支払結果確認ステップをさらに含むことを特徴とする。
【００６３】
この方法によれば、金融機関方法から商品委託者の収納用口座番号に対する入金明細情報を取得し、入金明細情報と振替情報とをマッチングすることにより支払結果の確認を行うので、自己の契約口座に販売代理者から料金の振込みを受けた商品委託者が、どの業務に対する振込みであるか確認することを自動的に実行することができ、入金の消し込み作業を極めて効率的に実行することができるようになる。
【００６４】
すなわち、既存の金融機関の振込みサービスでは、通常、振込者と振込金額しかわからないため、複数の業務を販売代理者に委託した場合には、商品委託者においてどの商品代金回収業務に対する振込かを特定し帳簿上で入金の消し込みを行うことが困難であったが、本方法によれば、入金明細と振替情報とのマッチング処理を自動化することにより、このような煩雑な作業が開放され、入金確認業務を飛躍的に向上させることができるようになる。
【００６５】
また、請求項１６に記載の商品代金当日精算方法は、請求項１４または１５に記載の商品代金当日精算方法において、上記支払結果確認ステップにより上記振替情報とマッチングできた入金確定分の上記入金明細情報に基づいて、上記販売代理者毎に集約した支払結果明細ファイルを作成し、上記販売代理者の販売代理者用端末装置および／または上記商品委託者のセンターシステムに対して送信する決済状況確認ステップをさらに含むことを特徴とする。
【００６６】
この方法によれば、振替情報とマッチングできた入金確定分の入金明細情報に基づいて、販売代理者毎に集約した支払結果明細ファイルを作成し、販売代理者の販売代理者用端末装置および／または商品委託者のセンターシステムに対して送信するので、決済結果の確認をスムーズに行うことができるようになり、さらに、販売代理者や商品委託者に対して確認結果を通知することができるようになる。
【００６７】
また、この方法によれば、複数の金融機関の入金明細情報をひとつに纏めて販売代理者毎に集約した支払結果明細ファイルを作成することもできるので、決済結果の確認をスムーズに行うことができるようになり、さらに、販売代理者や商品委託者に対して確認結果を通知することができるようになる。
【００６８】
また、本発明はプログラムに関するものであり、請求項１７に記載のプログラムは、商品委託者の販売代理者が回収した商品代金の当日毎の精算処理を実行する商品代金当日精算方法をコンピュータに実行させるプログラムであって、上記販売代理者毎に、販売代理者ＩＤ、決済用の金融機関ＩＤおよび収納用口座番号を対応付けて格納する販売代理者情報格納ステップと、上記販売代理者ＩＤ、契約ＩＤおよび入金受入額を含む上記商品代金の精算情報を上記販売代理者の販売代理者用端末装置から受信する精算情報受信ステップと、上記精算情報を送信した上記販売代理者の販売代理者ＩＤに基づいて、当該販売代理者の決済用の金融機関ＩＤおよび上記収納用口座番号を抽出して決済を行う金融機関を選択する決済機関選択ステップと、上記精算情報に基づいて振替情報を作成して、上記精算情報を送信した上記販売代理者の販売代理者用端末装置に送信し、支払内容を当該販売代理者に確認させた後、振替指示を送信させる支払内容確認ステップと、上記支払内容確認ステップにて上記代理人の上記販売代理者用端末装置より送信された上記振替指示を受信した上記振替情報について上記決済を行う金融機関プログラムの振替フォーマットに整形し、当該金融機関プログラムに対して送信することにより、上記商品代金の上記販売代理者の収納用口座番号から商品委託者の収納用口座番号への当日振替を依頼する振替依頼ステップとを含む商品代金当日精算方法をコンピュータに実行させることを特徴とする。
【００６９】
このプログラムによれば、販売代理者毎に、販売代理者ＩＤ、決済用の金融機関ＩＤおよび収納用口座番号を対応付けて格納し、販売代理者ＩＤ、契約ＩＤおよび入金受入額を含む商品代金の精算情報を販売代理者の販売代理者用端末装置から受信し、精算情報を送信した販売代理者の販売代理者ＩＤに基づいて、当該販売代理者の決済用の金融機関ＩＤおよび収納用口座番号を抽出して決済を行う金融機関を選択し、精算情報に基づいて振替情報を作成して、精算情報を送信した販売代理者の販売代理者用端末装置に送信し、支払内容を当該販売代理者に確認させた後、振替指示を送信させ、代理人の販売代理者用端末装置より送信された振替指示を受信した振替情報について決済を行う金融機関プログラムの振替フォーマットに整形し、当該金融機関プログラムに対して送信することにより、商品代金の販売代理者の収納用口座番号から商品委託者の収納用口座番号への当日振替を依頼するので、各販売代理者の商品代金回収業務を当日毎に実行することができ、また、販売代理者が顧客から回収した商品代金を自分で管理している期間が少なくなり盗難などの事故の可能性を飛躍的に低減することができ、さらに、各販売代理者の回収業務の進捗確認などを当日毎に正確に実行することができるようになる。
【００７０】
このプログラムによれば、商品委託者の各販売代理者からの商品代金の収納代行を行うことができるようになる。すなわち、このプログラムが存在していない場合には、商品委託者が多くの金融機関に口座を開設し、それぞれについて当日精算処理を行わなければならなかったが、本プログラムによれば、金融機関ごとの販売代理者精算を纏めて各商品委託者に報告し、収納資金を一括送信することができるようになる。
【００７１】
また、このプログラムによれば、既存のＷｅｂを用いた販売代理者プログラムや、金融機関プログラムの機能を有効に利用、組合せし、多機能な精算処理を実現することができる。すなわち、従来の販売代理者業務プログラムや金融機関プログラムの改造の負荷を最小限にし、かつ、初期コストやランニングコストを最小限にすることができる。また、将来の機能変更に対して柔軟性、拡張性を持たせることができる。
【００７２】
また、請求項１８に記載のプログラムは、請求項１７に記載のプログラムにおいて、上記金融機関プログラムから上記商品委託者の収納用口座番号に対する入金明細情報を取得し、上記入金明細情報と上記振替情報とをマッチングすることにより支払結果の確認を行う支払結果確認ステップをさらに含むことを特徴とする。
【００７３】
このプログラムによれば、金融機関プログラムから商品委託者の収納用口座番号に対する入金明細情報を取得し、入金明細情報と振替情報とをマッチングすることにより支払結果の確認を行うので、自己の契約口座に販売代理者から料金の振込みを受けた商品委託者が、どの業務に対する振込みであるか確認することを自動的に実行することができ、入金の消し込み作業を極めて効率的に実行することができるようになる。
【００７４】
すなわち、既存の金融機関の振込みサービスでは、通常、振込者と振込金額しかわからないため、複数の業務を販売代理者に委託した場合には、商品委託者においてどの商品代金回収業務に対する振込かを特定し帳簿上で入金の消し込みを行うことが困難であったが、本プログラムによれば、入金明細と振替情報とのマッチング処理を自動化することにより、このような煩雑な作業が開放され、入金確認業務を飛躍的に向上させることができるようになる。
【００７５】
また、請求項１９に記載のプログラムは、請求項１７または１８に記載のプログラムにおいて、上記支払結果確認ステップにより上記振替情報とマッチングできた入金確定分の上記入金明細情報に基づいて、上記販売代理者毎に集約した支払結果明細ファイルを作成し、上記販売代理者の販売代理者用端末装置および／または上記商品委託者のセンターシステムに対して送信する決済状況確認ステップをさらに含むことを特徴とする。
【００７６】
このプログラムによれば、振替情報とマッチングできた入金確定分の入金明細情報に基づいて、販売代理者毎に集約した支払結果明細ファイルを作成し、販売代理者の販売代理者用端末装置および／または商品委託者のセンターシステムに対して送信するので、決済結果の確認をスムーズに行うことができるようになり、さらに、販売代理者や商品委託者に対して確認結果を通知することができるようになる。
【００７７】
また、このプログラムによれば、複数の金融機関の入金明細情報をひとつに纏めて販売代理者毎に集約した支払結果明細ファイルを作成することもできるので、決済結果の確認をスムーズに行うことができるようになり、さらに、販売代理者や商品委託者に対して確認結果を通知することができるようになる。
【００７８】
また、本発明は記録媒体に関するものであり、請求項２０に記載の記録媒体は、上記請求項１７〜１９のいずれか一つに記載されたプログラムをコンピュータに実行させるためのプログラムを記録したことを特徴とする。
【００７９】
この記録媒体によれば、当該記録媒体に記録されたプログラムをコンピュータに読み取らせて実行することによって、請求項１７〜１９のいずれか一つに記載されたプログラムをコンピュータを利用して実現することができ、これら各プログラムと同様の効果を得ることができる。
【００８０】
【発明の実施の形態】
以下に、本発明にかかる商品代金当日精算装置、商品代金当日精算方法、プログラム、および、記録媒体の実施の形態を図面に基づいて詳細に説明する。なお、この実施の形態によりこの発明が限定されるものではない。
【００８１】
特に、以下の実施の形態においては、本発明を、保険料当日精算装置、保険料当日精算方法、プログラム、および、記録媒体に適用した例について説明するが、この場合に限られず、他の全ての商品代金当日精算装置、商品代金当日精算方法、プログラム、および、記録媒体において、同様に適用することができる。
【００８２】
すなわち、以下の実施の形態においては、「商品」として「各種保険」を適用し、「商品代金」として「保険料」を適用し、「商品委託者」として「保険会社」を適用し、「販売代理者」として「代理店」を適用する場合を一例として説明するが、本発明はこの場合に限定されない。
【００８３】
［本システムの概要］
以下、保険料当日精算システム（以下、「本システム」という。）の概要について説明し、その後、本システムの構成および処理等について詳細に説明する。図１は本システムの全体構成の一例を示すブロック図であり、該システム構成のうち本発明に関係する部分のみを概念的に示している。また、図２は、本発明の基本原理を説明する概念図である。
【００８４】
本システムは、概略的に、保険会社（商品委託者）の代理店（販売代理者）が回収した保険料（商品代金）の当日精算処理を実行する保険料当日精算装置（商品代金当日精算装置）１００と、代理店（販売代理者）の情報端末装置である代理店用端末装置（販売代理者用端末装置）２００と、保険会社（商品委託者）の各種業務処理を実行する保険会社センターシステム（商品委託者センターシステム）２５０と、各種の金融処理を実行する金融機関システム４００とを、ネットワーク３００を介して通信可能に接続して構成されている。
【００８５】
このシステムは、概略的に、以下の基本的特徴を有する。図２に示すように、代理店用端末装置２００は保険料当日精算装置１００の提供するＷｅｂサイトにアクセスして、代理店システムのＷｅｂ画面に従って精算情報を送信する（ステップＳＡ−１）。
【００８６】
保険料当日精算装置１００は、予め各代理店に対して、保険料の精算時の支払条件を指示させ、支払条件を格納しておく。支払条件は、例えば、「Ｗｅｂ振替」による当日決済、「自動引落」、または、「インターネット振込」のうちいずれかの決済方法に関する条件や、決済を行う金融機関名および口座番号などに関する条件などを含んでいる。なお、支払条件の指示は、ステップＳＡ−１の後に行ってもよく、その実行順序は任意である。
【００８７】
ここで、「Ｗｅｂ振替」による当日決済とは、金融機関システム４００が提供するＷｅｂ振替サービスを用いて、代理店口座への入金済み保険料を当日中に保険会社口座に振り替える決済方法をいう。
【００８８】
そして、保険料当日精算装置１００は、代理店用端末装置２００から各代理店の精算情報を受信すると、各代理店が事前登録した支払金融機関と決済（支払）方法に対応するＷｅｂ画面を選択し、代理店用端末装置２００に送信する（ステップＳＡ−２）。
【００８９】
そして、代理店が決済方法として「Ｗｅｂ振替」を事前登録している場合には、口座保有者である代理店が振替を指示すると（ステップＳＡ−３）、保険料当日精算装置１００は、代理店の収納口座から保険会社の収納口座へ振替を実行するための振替情報を作成し、当該振替情報を代理店が支払条件で指定した金融機関の金融機関システム４００に対して送信する（ステップＳＡ−４）。
【００９０】
ここで、「振替情報」は、代理店が支払条件で指定した金融機関の金融機関システム４００が定めた所定のフォーマットにて作成される。そして、金融機関システム４００は、公知の技術を用いて振替情報に従って振替処理を実行する。
【００９１】
そして、保険料当日精算装置１００は、当日の振替処理による決済処理を行った金融機関システム４００から支払結果を受信し、当該支払結果が正常に実行されたか否かを確認する（ステップＳＡ−５）。
【００９２】
そして、保険料当日精算装置１００は、代理店毎の支払結果明細を作成し、代理店用端末装置２００および／または保険会社センターシステム２５０に対して送信する（ステップＳＡ−６）。
【００９３】
ここで、各ステップの処理の詳細については後述する。
【００９４】
［システム構成］
以下、このような基本的特徴を具現化するための、本システムの構成について説明する。
【００９５】
［システム構成−保険料当日精算装置１００］
まず、保険料当日精算装置１００の構成について説明する。
図３は、本発明が適用される保険料当日精算装置１００の構成の一例を示すブロック図であり、該構成のうち本発明に関係する部分のみを概念的に示している。図３において保険料当日精算装置１００は、概略的に、保険料当日精算装置１００の全体を統括的に制御するＣＰＵ等の制御部１０２、通信回線等に接続されるルータ等の通信装置（図示せず）に接続される通信制御インターフェース部１０４、入出力装置（入力装置１１２および出力装置１１４）に接続される入出力制御インターフェース部１０８、および、各種のデータベースなど（代理店情報データベース１０６ａ〜支払結果明細ファイル１０６ｆ）を格納する記憶部１０６を備えて構成されており、これら各部は任意の通信路を介して通信可能に接続されている。さらに、この保険料当日精算装置１００は、ルータ等の通信装置および専用線等の有線または無線の通信回線を介して、ネットワーク３００に通信可能に接続されている。
【００９６】
記憶部１０６に格納される各種のデータベース（代理店情報データベース１０６ａ〜支払結果明細ファイル１０６ｆ）は、固定ディスク装置等のストレージ手段であり、各種処理やウェブサイト提供に用いる各種のプログラムやテーブルやファイルやデータベースやウェブページ用ファイル等を格納する。
【００９７】
これら記憶部１０６の各構成要素のうち、代理店情報データベース１０６ａは、代理店に関する情報（代理店情報）を格納する代理店情報格納手段である。図４は、代理店情報データベース１０６ａに格納される代理店情報の一例を示す図である。
【００９８】
この代理店情報データベース１０６ａに格納される情報は、図４に示すように、各代理店を一意に識別するための代理店ＩＤ（番号または名前など）、各代理店が正当な者であるか否かの認証を行うための代理店パスワード、各代理店名、各代理店の所属する所属先を一意に識別するための所属先ＩＤ、各代理店の所属する所属先の部門を一意に識別するための部門ＩＤ、部門名、各代理店の電子メールアドレス、決済機関を一意に識別するための決済機関ＩＤ（番号または名前など）、代理店の収納口座番号、支払方法（Ｗｅｂ振替、自動引落、インターネット振込など）などを相互に関連付けて構成されている。
【００９９】
また、精算情報データベース１０６ｂは、精算情報等を格納する精算情報格納手段である。図５は、精算情報データベース１０６ｂに格納される情報の一例を示す図である。
【０１００】
この精算情報データベース１０６ｂに格納される情報は、図５に示すように、代理店ＩＤ、精算日、商品分類、契約ＩＤ、商品コード、入金受入額等を相互に関連付けて構成されている。
【０１０１】
また、振替情報データベース１０６ｃは、振替情報等を格納する振替情報格納手段である。図６は、振替情報データベース１０６ｃに格納される情報の一例を示す図である。
【０１０２】
この振替情報データベース１０６ｃに格納される情報は、図６に示すように、代理店ＩＤ、振替日、保険料入金合計、保険分類、件数、金額等を相互に関連付けて構成されている。
【０１０３】
また、入金未確定分ワークファイル１０６ｄは、入金未確定分の精算情報等を格納する入金未確定分情報格納手段である。
【０１０４】
この入金未確定分ワークファイル１０６ｄに格納される情報は、入金未確定分の精算情報（例えば、代理店ＩＤ、精算日、商品分類、契約ＩＤ、商品コード、入金受入額等）等を相互に関連付けて構成されている。
【０１０５】
また、入金確定分ワークファイル１０６ｅは、入金確定分の支払結果に関する情報等を格納する入金確定分情報格納手段である。
【０１０６】
この入金確定分ワークファイル１０６ｅに格納される情報は、入金確定分の支払結果に関する情報（例えば、代理店ＩＤ、精算日、商品分類、契約ＩＤ、商品コード、入金受入額、代理店毎の支払結果明細情報等）等を相互に関連付けて構成されている。
【０１０７】
また、支払結果明細ファイル１０６ｆは、支払結果に関する情報等を格納する支払結果情報格納手段である。
【０１０８】
この支払結果明細ファイル１０６ｆに格納される情報は、代理店ＩＤ、代理店毎の支払結果明細情報等を相互に関連付けて構成されている。
【０１０９】
また、その他の情報として、保険料当日精算装置１００の記憶部１０６には、ウェブサイトを代理店用端末装置２００に提供するための各種のＷｅｂデータやＣＧＩプログラム等が記録されている。
【０１１０】
このＷｅｂデータとしては、後述する各種のＷｅｂページを表示するためのデータ等があり、これらデータは、例えば、ＨＴＭＬやＸＭＬにて記述されたテキストファイルとして形成されている。また、これらのＷｅｂデータを作成するための部品用のファイルや作業用のファイルやその他一時的なファイル等も記憶部１０６に記憶される。
【０１１１】
この他、必要に応じて、代理店用端末装置２００に送信するための音声をＷＡＶＥ形式やＡＩＦＦ形式の如き音声ファイルで格納したり、静止画や動画をＪＰＥＧ形式やＭＰＥＧ２形式の如き画像ファイルで格納したりすることができる。
【０１１２】
また、図３において、通信制御インターフェース部１０４は、保険料当日精算装置１００とネットワーク３００（またはルータ等の通信装置）との間における通信制御を行う。すなわち、通信制御インターフェース部１０４は、他の端末と通信回線を介してデータを通信する機能を有する。
【０１１３】
また、図３において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する）。また、入力装置１１２としては、キーボード、マウス、および、マイク等を用いることができる。また、モニタも、マウスと協働してポインティングデバイス機能を実現する。
【０１１４】
また、図３において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、要求解釈部１０２ａ、閲覧処理部１０２ｂ、認証処理部１０２ｃ、電子メール生成部１０２ｄ、Ｗｅｂページ生成部１０２ｅ、送信部１０２ｆ、支払条件指示部１０２ｇ、精算情報受信部１０２ｈ、決済機関選択部１０２ｉ、支払内容確認部１０２ｊ、振替依頼部１０２ｋ、支払結果確認部１０２ｍ、および、決済状況確認部１０２ｎを備えて構成されている。
【０１１５】
このうち、要求解釈部１０２ａは、代理店用端末装置２００からの要求内容を解釈し、その解釈結果に応じて制御部の他の各部に処理を受け渡す要求解釈手段である。
【０１１６】
また、閲覧処理部１０２ｂは、代理店用端末装置２００からの各種画面の閲覧要求を受けて、これら画面のＷｅｂデータの生成や送信を行なう閲覧処理手段である。
【０１１７】
また、認証処理部１０２ｃは、代理店用端末装置２００からの認証要求を受けて、この認証判断を行なう認証処理手段である。
【０１１８】
また、電子メール生成部１０２ｄは、各種の情報を含んだ電子メールを生成する電子メール生成手段である。
【０１１９】
また、Ｗｅｂページ生成部１０２ｅは、利用者が閲覧するＷｅｂページを生成するＷｅｂページ生成手段である。
【０１２０】
また、送信部１０２ｆは、各種の情報を当該利用者の代理店用端末装置２００に送信する送信手段である。
【０１２１】
また、支払条件指示部１０２ｇは、代理店に対して、保険料の精算時の支払条件を指示させる支払条件指示手段である。
【０１２２】
また、精算情報受信部１０２ｈは、代理店の代理店用端末装置２００から保険料の精算情報を受信する精算情報受信手段である。
【０１２３】
また、決済機関選択部１０２ｉは、精算情報を送信した代理店の代理店ＩＤに基づいて、当該代理店の決済用の金融機関ＩＤおよび収納用口座番号を抽出して決済を行う金融機関を選択する決済機関選択手段である。
【０１２４】
また、支払内容確認部１０２ｊは、精算情報に基づいて振替情報を作成して、精算情報を送信した代理店の代理店用端末装置２００に送信し、支払内容を当該代理店に確認させた後、振替指示を送信させる支払内容確認手段である。
【０１２５】
また、振替依頼部１０２ｋは、支払内容確認部１０２ｊにて代理人の代理店用端末装置２００より送信された振替指示を受信した振替情報について決済を行う金融機関システム４００の振替フォーマットに整形し、当該金融機関システム４００に対して送信することにより、保険料の代理店の収納用口座番号から保険会社の収納用口座番号への当日振替を依頼する振替依頼手段である。
【０１２６】
また、支払結果確認部１０２ｍは、金融機関システム４００から保険会社の収納用口座番号に対する入金明細情報を取得し、入金明細情報と振替情報とをマッチングすることにより支払結果の確認を行う支払結果確認手段である。
【０１２７】
また、決済状況確認部１０２ｎは、支払結果確認部１０２ｍにより振替情報とマッチングできた入金確定分の入金明細情報に基づいて、代理店毎に集約した支払結果明細ファイルを作成し、代理店の代理店用端末装置２００および／または保険会社のセンターシステム２５０に対して送信する決済状況確認手段である。
【０１２８】
なお、これら各部によって行なわれる処理の詳細については、後述する。
【０１２９】
［システム構成−代理店用端末装置２００］
次に、代理店用端末装置２００の構成について説明する。
図７は、本発明が適用される代理店用端末装置２００の構成の一例を示すブロック図であり、該構成のうち本発明に関係する部分のみを概念的に示している。この図１０に示すように、代理店用端末装置２００は、概略的には、制御部２１０、ＲＯＭ２２０、ＨＤ２３０、ＲＡＭ２４０、入力装置２５１、出力装置２６０、入出力制御ＩＦ２７０、および、通信制御ＩＦ２８０を備えて構成されており、これら各部がバスを介してデータ通信可能に接続されている。
【０１３０】
この代理店用端末装置２００の制御部２１０は、Ｗｅｂブラウザ２１１および電子メーラ２１２を備えて構成されている。このうち、Ｗｅｂブラウザ２１１は、基本的には、Ｗｅｂデータを解釈して、後述するモニタ２６１に表示させる表示制御（ブラウズ処理）を行うものである。
【０１３１】
また、Ｗｅｂブラウザ２１１は、ストリーム映像の受信、表示、フィードバック等を行う機能を備えたストリームプレイヤ等の各種のソフトウェアをプラグインしてもよい。
【０１３２】
また、電子メーラ２１２は、所定の通信規約（例えば、ＳＭＴＰ（Ｓｉｍｐｌｅ  Ｍａｉｌ  Ｔｒａｎｓｆｅｒ  Ｐｒｏｔｏｃｏｌ）やＰＯＰ３（Ｐｏｓｔ  Ｏｆｆｉｃｅ  Ｐｒｏｔｏｃｏｌ  ｖｅｒｓｉｏｎ  ３）等）に従って、電子メールの送受信を行う。
【０１３３】
また、入力装置２５１としては、キーボード、マウス、および、マイク等を用いることができる。また、後述するモニタ２６１も、マウスと協働してポインティングデバイス機能を実現する。
【０１３４】
また、出力装置２６０としては、モニタ（家庭用テレビを含む）２６１、および、プリンタ２６２が設けられている。この他、出力装置２６０としては、スピーカ等を用いることができる。出力装置２６０は、通信制御ＩＦ２８０を介して受信された情報を出力する出力手段である。
【０１３５】
また、通信制御ＩＦ２８０は、代理店用端末装置２００とネットワーク３００（またはルータ等の通信装置）との間における通信制御を行う。この通信制御ＩＦ２８０は、保険料当日精算装置１００などから送信された情報を受信する受信手段である。
【０１３６】
このように構成された代理店用端末装置２００は、モデム、ＴＡ、ルータ等の通信装置と電話回線を介して、あるいは、専用線を介して、ネットワーク３００に接続されており、所定の通信規約（たとえば、ＴＣＰ／ＩＰインターネットプロトコル）に従って保険料当日精算装置１００などにアクセスすることができる。
【０１３７】
［システム構成−保険会社センターシステム２５０］
次に、保険会社センターシステム２５０の構成について説明する。保険会社センターシステム２５０は、ネットワーク３００を介して、保険料当日精算装置１００と代理店用端末装置２００と相互に接続され、代理店に対して保険業務に関する情報を送受信するウェブサイトを提供する機能などを有する。
【０１３８】
ここで、保険会社センターシステム２５０は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、以下に説明する保険会社センターシステム２５０の各機能は、保険会社センターシステム２５０のハードウェア構成中のＣＰＵ、ディスク装置、メモリ装置、入力装置、出力装置、通信制御装置等およびそれらを制御するプログラム等により実現される。
【０１３９】
［システム構成−ネットワーク３００］
次に、ネットワーク３００の構成について説明する。ネットワーク３００は、保険料当日精算装置１００と代理店用端末装置２００とを相互に接続する機能を有し、例えば、インターネット等である。
【０１４０】
［システム構成−金融機関システム４００］
次に、金融機関システム４００の構成について説明する。金融機関システム４００は、ネットワーク３００を介して、保険料当日精算装置１００と代理店用端末装置２００と保険会社センターシステム２５０と相互に接続され、利用者に対して各種の金融サービス（例えば、口座管理サービス、当日Ｗｅｂ振替サービス、自動引落サービス、インターネット振込（送金）サービスなど）を行うウェブサイトを提供する機能を有する。
【０１４１】
ここで、金融機関システム４００は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、以下に説明する金融機関システム４００の各機能は、金融機関システム４００のハードウェア構成中のＣＰＵ、ディスク装置、メモリ装置、入力装置、出力装置、通信制御装置等およびそれらを制御するプログラム等により実現される。
【０１４２】
［システムの処理］
次に、このように構成された本実施の形態における本システムの処理の一例について、以下に図３〜図１１等を参照して詳細に説明する。なお、以下の実施例において、代理店用端末装置２００のモニタ２６１に表示される各種の画面情報は、特記しない限り保険料当日精算装置１００が作成して代理店用端末装置２００に送信している場合を一例に説明するが、本発明はこの場合に限定されるものではなく、代理店用端末装置２００の記憶部に予め画面情報を格納しておき、代理店用端末装置２００の制御部２１０の制御により必要な画面情報を適宜読み出して表示してもよい。
【０１４３】
［ＷＥＢ連動決済による代理店からの保険料徴収処理］
まず、このように構成された本システムを用いて行なわれる本方法としてのＷＥＢ連動決済による代理店からの保険料徴収処理の詳細について図３〜図１１などを参照して説明する。
図８は、本実施形態における本システムのＷＥＢ連動決済による代理店からの保険料徴収処理の一例を示すフローチャートである。
【０１４４】
まず、代理店用端末装置２００は、保険料当日精算装置１００の提供するウェブサイトのアドレス（ＵＲＬ等）を代理店がＷｅｂブラウザ２１１の表示される画面上で入力装置２５１を介して指定することにより、インターネットを介して、保険料当日精算装置１００に接続する。
【０１４５】
具体的には、代理店が、代理店用端末装置２００のＷｅｂブラウザ２１１を起動し、このＷｅｂブラウザ２１１の所定の入力欄に、本システムの代理店システムＷｅｂ画面に対応する所定のＵＲＬを入力する。そして、代理店が、このＷｅｂブラウザ２１１の画面更新を指示すると、Ｗｅｂブラウザ２１１は、このＵＲＬを通信制御ＩＦ２８０を介して所定の通信規約にて送信し、このＵＲＬに基づくルーティングによって保険料当日精算装置１００に対する代理店システムＷｅｂ画面用Ｗｅｂページの送信要求を行う。
【０１４６】
ついで、保険料当日精算装置１００の要求解釈部１０２ａは、代理店用端末装置２００からの送信の有無を監視しており、送信を受けると、この送信の内容を解析し、その結果に応じて当該制御部１０２内の各部に処理を移す。送信の内容が代理店システムＷｅｂ画面用Ｗｅｂページの送信要求である場合には、主として閲覧処理部１０２ｂの制御下において、記憶部１０６から代理店システムＷｅｂ画面用Ｗｅｂページを表示するためのＷｅｂデータを取得し、このＷｅｂデータを通信制御インターフェース部１０４を介して代理店用端末装置２００に送信する。ここで、保険料当日精算装置１００から代理店用端末装置２００へデータ送信を行う際の代理店用端末装置２００の特定は、代理店用端末装置２００から送信要求と共に送信されたＩＰアドレスを用いて行う。
【０１４７】
なお、このように代理店からＷｅｂページの送信要求があった場合には、代理店に代理店ＩＤおよびパスワードの入力を求め、認証処理部１０２ｃが代理店情報データベース１０６ａに格納されている代理店ＩＤおよびパスワードに基づいて認証可否を判断し、認証可の場合にのみＷｅｂページを閲覧させてもよい（以下においても同様であるためその詳細を省略する）。
【０１４８】
この代理店用端末装置２００は、保険料当日精算装置１００からのＷｅｂデータを通信制御ＩＦ２８０を介して受信し、このデータをＷｅｂブラウザ２１１にて解釈することにより、モニタ２６１に代理店システムＷｅｂ画面用Ｗｅｂページを表示する。以下、代理店用端末装置２００から保険料当日精算装置１００への画面要求と、保険料当日精算装置１００から代理店用端末装置２００へのＷｅｂデータの送信、および、代理店用端末装置２００におけるＷｅｂページの表示はほぼ同様に行われるものとし、以下ではその詳細を省略する。
【０１４９】
この代理店システムＷｅｂ画面を図９に例示する。図９に示すように代理店システムＷｅｂ画面は、例えば、代理店名の入力領域ＭＡ−１、精算日の入力領域ＭＡ−２、商品分類の入力領域ＭＡ−３、契約ＩＤの入力領域ＭＡ−４、商品コードの入力領域ＭＡ−５、入金受入額の入力領域ＭＡ−６、総件数の入力領域ＭＡ−７、入金受入総額の入力領域ＭＡ−８、確認ボタンＭＡ−９等を含んで構成されている。
【０１５０】
そして、代理店が代理店用端末装置２００の入力装置２５１を介していずれかの入力領域ＭＡ−１〜ＭＡ−８を選択し、所定の契約明細情報（保険料の精算情報）を入力し、さらに、確認ボタンＭＡ−９をマウス等で選択すると、入力情報を特定するための識別子が保険料当日精算装置１００に送信される（ステップＳＢ−１）。
【０１５１】
そして、保険料当日精算装置１００の要求解釈部１０２ａは、この識別子を解析することによって、代理店用端末装置２００からの要求の内容を解析する（代理店用端末装置２００から保険料当日精算装置１００への要求内容の識別については、以下の処理においてもほぼ同様に行われるものとし、以下ではその詳細を省略する）。
【０１５２】
そして、保険料当日精算装置１００は、精算情報受信部１０２ｈの処理により、代理店の代理店用端末装置２００から保険料の精算情報を受信すると、当該精算情報を精算情報データベース１０６ｂの所定の記憶領域に格納する。
【０１５３】
そして、保険料当日精算装置１００は、支払条件指示部１０２ｇの処理により、代理店用端末装置２００に対して支払条件のうち支払方法を代理店に指示させるための支払方法指示画面を送信する。
【０１５４】
そして、代理店用端末装置２００は、保険料当日精算装置１００から受信した支払方法指示画面をモニタに表示する。ここで、代理店が、支払方法指示画面上で「▲１▼Ｗｅｂ連動決済（Ｗｅｂ振替）」を選択すると、代理店用端末装置２００は当該指示された支払条件情報を保険料当日精算装置１００に対して送信する（ステップＳＢ−２）。
【０１５５】
そして、保険料当日精算装置１００は、代理店用端末装置２００から支払条件情報を受信すると、決済機関選択部１０２ｉの処理により、代理店情報データベース１０６ａにアクセスして当該代理店の金融機関ＩＤおよび収納用口座番号を抽出して、代理店が予め指定した金融機関の収納口座を選択する（ステップＳＢ−３）。
【０１５６】
そして、保険料当日精算装置１００は、支払内容確認部１０２ｊの処理により、代理店の精算情報から振替情報を作成して、振替情報データベース１０６ｃの所定の記憶領域に格納する。
【０１５７】
そして、保険料当日精算装置１００は、支払内容確認部１０２ｊの処理により、Ｗｅｂページ生成部１０２ｅに、代理店情報データベース１０６ａおよび振替情報データベース１０６ｃを参照して、Ｗｅｂ振替画面用Ｗｅｂページを作成させる。
【０１５８】
そして、保険料当日精算装置１００は、支払内容確認部１０２ｊの処理により、送信部１０２ｆの処理に、当該Ｗｅｂ振替画面用Ｗｅｂページを代理店用端末装置２００に対して送信させる。
【０１５９】
ここで、図１０は、代理店用端末装置２００のモニタに表示されるＷｅｂ振替画面の一例を示す図である。図１０に示すように、Ｗｅｂ振替画面は、代理店ＩＤ（代理店名）の表示領域ＭＢ−１、振替日の表示領域ＭＢ−２、保険料入金合計の表示領域ＭＢ−３、保険分類の表示領域ＭＢ−４、件数の表示領域ＭＢ−５、金額の表示領域ＭＢ−６、合計件数の表示領域ＭＢ−７、合計金額の表示領域ＭＢ−８、振替処理を実行する金融機関等の表示領域ＭＢ−９、振替実行ボタンＭＢ−１０、入力訂正ボタンＭＢ−１１等を含んで構成される。
【０１６０】
ここで、代理店がＭＢ−１〜ＭＢ−９に表示された各種の振替情報を確認し、振替ボタンＭＢ−１０をマウス等で選択すると、代理店用端末装置２００は、振替指示情報を保険料当日精算装置１００に対して送信する。
【０１６１】
再び図８に戻り、保険料当日精算装置１００は、振替指示情報を受信すると、振替依頼部１０２ｋの処理により、代理店により確認された支払内容に対応する振替情報を、金融機関が指定するフォーマットに整形し、金融機関システム４００に対して送信する（ステップＳＢ−４）。
【０１６２】
そして、金融機関システム４００は、受信した振替情報に従って、代理店の収容口座から保険会社の収容口座に対して当日の保険料の決済操作（振替処理）を実行する（ステップＳＢ−５）。
【０１６３】
そして、金融機関システム４００は、振替処理の処理結果である入金明細情報を保険料当日精算装置１００に対して送信すると、保険料当日精算装置１００は、支払結果確認部１０２ｍの処理により、保険会社の収納用口座番号に対する入金明細情報を取得して支払結果の確認を行う（ステップＳＢ−６）。
【０１６４】
また、ステップＳＢ−６において、１００は、支払結果確認部１０２ｍの処理により、金融機関システムから保険会社の収納用口座番号に対する入金明細情報をアカウントアグリゲーション機能などを用いて能動的に取得してもよい。
【０１６５】
そして、１００は、支払結果確認部１０２ｍの処理により、入金明細情報と振替情報とをマッチングすることにより支払結果の確認を行う。
【０１６６】
また、保険料当日精算装置１００は、決済状況確認部１０２ｎの処理により、振替情報とマッチングできた入金確定分の入金明細情報に基づいて、代理店毎に支払結果明細ファイルを作成して支払結果明細ファイル１０６ｆの所定の記憶領域に格納する。そして、１００は、決済状況確認部１０２ｎの処理により、保険会社センターシステム２５０（または代理店用端末装置２００）から要求があった場合（例えば、随時の送信要求命令、または、毎日定時に起動されるバッチ処理の送信要求命令など）、対応するファイルを送信する（ステップＳＢ−７）。
【０１６７】
また、図１１は、本実施形態における本システムのＷＥＢ連動決済による代理店からの保険料徴収処理の一例を示す概念図である。ここで、図１１は、保険料当日精算装置１００および金融機関システム４００が上述したステップＳＢ−４からステップＳＢ−７において実行する各処理の詳細を概念的に示している。
【０１６８】
図１１に示すように、保険料当日精算装置１００は、振替指示情報を受信すると、振替依頼部１０２ｋの処理により、代理店により確認された支払内容に対応する振替情報を、金融機関が指定するフォーマットに整形し、金融機関システム４００に対して送信する（ステップＳＣ−１）。
【０１６９】
そして、金融機関システム４００は、受信した振替情報に従って、代理店の収容口座から保険会社の収容口座に対して当日の保険料の決済操作（振替処理）を実行する（ステップＳＣ−２）。
【０１７０】
そして、金融機関システム４００は、振替処理の処理結果である入金明細情報を保険料当日精算装置１００に対して送信すると、保険料当日精算装置１００は、支払結果確認部１０２ｍの処理により、保険会社の収納用口座番号に対する入金明細情報を取得する（ステップＳＣ−３）。
【０１７１】
また、ステップＳＣ−３において、１００は、支払結果確認部１０２ｍの処理により、金融機関システムから保険会社の収納用口座番号に対する入金明細情報をアカウントアグリゲーション機能などを用いて能動的に取得してもよい。
【０１７２】
そして、１００は、支払結果確認部１０２ｍの処理により、入金明細情報と振替情報とをマッチングすることにより支払結果の確認を行う（ステップＳＣ−４）。
【０１７３】
ここで、保険料当日精算装置１００は、決済状況確認部１０２ｎの処理により、振替情報とマッチングできない場合には、その振替情報（代理店ＩＤ、精算日、商品分類、契約ＩＤ、商品コード、入金受入額等）を入金未確定分ワークファイル１０６ｄの所定の記憶領域に格納し、次回以降の入金明細情報の取得時に再度マッチングを実行する（ステップＳＣ−５）。また、入金未確定分ワークファイル１０６ｄの内容を随時監視し、一定期間入金未確定の振替情報については、警告メッセージなどを出力してもよい。
【０１７４】
そして、保険料当日精算装置１００は、決済状況確認部１０２ｎの処理により、振替情報とマッチングできた入金確定分の入金明細情報は入金確定分ワークファイル１０６ｅの所定の記憶領域に格納し（ステップＳＣ−６）、一定のタイミングで、または、随時、代理店毎に集計して、支払結果明細ファイル１０６ｆの所定の記憶領域に格納する（ステップＳＣ−７）。
【０１７５】
ここで、保険料当日精算装置１００は、決済状況確認部１０２ｎの処理により、複数の金融機関の入金明細情報をひとつに纏めて代理店毎に集約した支払結果明細ファイル１０６ｆを作成することもできるので、決済結果の確認をスムーズに行うことができるようになり、さらに、代理店や保険会社に対して確認結果を通知することができるようになる。
【０１７６】
そして、１００は、決済状況確認部１０２ｎの処理により、保険会社センターシステム２５０（または代理店用端末装置２００）から要求があった場合（例えば、随時の送信要求命令、または、毎日定時に起動されるバッチ処理の送信要求命令など）、対応するファイルを送信する（ステップＳＣ−８）。
【０１７７】
これにて、ＷＥＢ連動決済による代理店からの保険料徴収処理が終了する。
【０１７８】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１７９】
また、上述した精算情報、振替情報、引落情報、振込情報などの送受信は、既存の電子メール送信技術を用いて実現してもよく、また、保険料当日精算装置１００等が提供するＷｅｂサイトの提供する機能により、所定の入力フォーマットを提示して利用者等に情報を入力させ、その入力情報を送信することにより実現してもよく、さらに、ＦＴＰ等の既存のファイル転送技術等により実現してもよい。
【０１８０】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１８１】
この他、上記文書中や図面中で示した処理手順、制御手順、具体的名称、各種の登録データや検索条件等のパラメータを含む情報、画面例、データベース構成については、特記する場合を除いて任意に変更することができる。
【０１８２】
また、保険料当日精算装置１００に関して、図示の各構成要素は機能概念的なものであり、必ずしも物理的に図示の如く構成されていることを要しない。
例えば、保険料当日精算装置１００の各サーバが備える処理機能、特に制御部にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて保険料当日精算装置１００に機械的に読み取られる。
【０１８３】
また、保険料当日精算装置１００は、さらなる構成要素として、マウス等の各種ポインティングデバイスやキーボードやイメージスキャナやデジタイザ等から成る入力装置（図示せず）、入力データのモニタに用いる表示装置（図示せず）、システムクロックを発生させるクロック発生部（図示せず）、および、各種処理結果その他のデータを出力するプリンタ等の出力装置（図示せず）を備えてもよく、また、入力装置、表示装置および出力装置は、それぞれ入出力インターフェースを介して制御部１０２に接続されてもよい。
【０１８４】
記憶部１０６に格納される各種のデータベース等（代理店情報データベース１０６ａ〜支払結果明細ファイル１０６ｆ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１８５】
また、保険料当日精算装置１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１８６】
さらに、保険料当日精算装置１００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１８７】
また、代理店用端末装置２００は、既知のパーソナルコンピュータ、ワークステーション、家庭用ゲーム装置、インターネットＴＶ、ＰＨＳ端末、携帯端末、移動体通信端末またはＰＤＡ等の情報処理端末等の情報処理装置にプリンタやモニタやイメージスキャナ等の周辺装置を必要に応じて接続し、該情報処理装置にウェブ情報のブラウジング機能や電子メール機能を実現させるソフトウェア（プログラム、データ等を含む）を実装することにより実現してもよい。
【０１８８】
この代理店用端末装置２００の制御部２１０は、その全部または任意の一部を、ＣＰＵおよび当該ＣＰＵにて解釈実行されるプログラムにて実現することができる。すなわち、ＲＯＭまたはＨＤには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１８９】
しかしながら、このコンピュータプログラムは、代理店用端末装置２００に対して任意のネットワークを介して接続されたアプリケーションプログラムサーバに記録されてもよく、必要に応じてその全部または一部をダウンロードすることも可能である。このあるいは、各制御部の全部または任意の一部を、ワイヤードロジック等によるハードウェアとして実現することも可能である。
【０１９０】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１９１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１９２】
また、ネットワーク３００は、保険料当日精算装置１００と代理店用端末装置２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０１９３】
【発明の効果】
以上詳細に説明したように、本発明によれば、代理店毎に、代理店ＩＤ、決済用の金融機関ＩＤおよび収納用口座番号を対応付けて格納し、代理店ＩＤ、契約ＩＤおよび入金受入額を含む保険料の精算情報を代理店の代理店用端末装置から受信し、精算情報を送信した代理店の代理店ＩＤに基づいて、当該代理店の決済用の金融機関ＩＤおよび収納用口座番号を抽出して決済を行う金融機関を選択し、精算情報に基づいて振替情報を作成して、精算情報を送信した代理店の代理店用端末装置に送信し、支払内容を当該代理店に確認させた後、振替指示を送信させ、代理人の代理店用端末装置より送信された振替指示を受信した振替情報について決済を行う金融機関システムの振替フォーマットに整形し、当該金融機関システムに対して送信することにより、保険料の代理店の収納用口座番号から保険会社の収納用口座番号への当日振替を依頼するので、各代理店の保険料回収業務を当日毎に実行することができ、また、代理店が顧客から回収した保険料を自分で管理している期間が少なくなり盗難などの事故の可能性を飛躍的に低減することができ、さらに、各代理店の回収業務の進捗確認などを当日毎に正確に実行することができる保険料当日精算装置、保険料当日精算方法、商品代金当日精算装置、商品代金当日精算方法、プログラム、および、記録媒体を提供することができる。
【０１９４】
また、本発明によれば、既存のＷｅｂを用いた代理店システムや、金融機関システムの機能を有効に利用、組合せし、多機能な精算処理を実現することができる。すなわち、従来の代理店業務システムや金融機関システムの改造の負荷を最小限にし、かつ、初期コストやランニングコストを最小限にすることができる。また、将来の機能変更に対して柔軟性、拡張性を持たせることができる保険料当日精算装置、保険料当日精算方法、商品代金当日精算装置、商品代金当日精算方法、プログラム、および、記録媒体を提供することができる。
【０１９５】
また、本発明によれば、金融機関システムから保険会社の収納用口座番号に対する入金明細情報を取得し、入金明細情報と振替情報とをマッチングすることにより支払結果の確認を行うので、自己の契約口座に代理店から料金の振込みを受けた保険会社が、どの業務に対する振込みであるか確認することを自動的に実行することができ、入金の消し込み作業を極めて効率的に実行することができる保険料当日精算装置、保険料当日精算方法、商品代金当日精算装置、商品代金当日精算方法、プログラム、および、記録媒体を提供することができる。
【０１９６】
すなわち、既存の金融機関の振込みサービスでは、通常、振込者と振込金額しかわからないため、複数の業務を代理店に委託した場合には、保険会社においてどの保険料回収業務に対する振込かを特定し帳簿上で入金の消し込みを行うことが困難であったが、本システムによれば、入金明細と振替情報とのマッチング処理を自動化することにより、このような煩雑な作業が開放され、入金確認業務を飛躍的に向上させることができるようになる。
【０１９７】
さらに、本発明によれば、振替情報とマッチングできた入金確定分の入金明細情報に基づいて、代理店毎に集約した支払結果明細ファイルを作成し、代理店の代理店用端末装置および／または保険会社のセンターシステムに対して送信するので、決済結果の確認をスムーズに行うことができるようになり、さらに、代理店や保険会社に対して確認結果を通知することができる保険料当日精算装置、保険料当日精算方法、商品代金当日精算装置、商品代金当日精算方法、プログラム、および、記録媒体を提供することができる。
【図面の簡単な説明】
【図１】本システムの全体構成の一例を示すブロック図である。
【図２】本発明の基本原理を説明する概念図である。
【図３】本発明が適用される保険料当日精算装置１００の構成の一例を示すブロック図である。
【図４】代理店情報データベース１０６ａに格納される代理店情報の一例を示す図である。
【図５】精算情報データベース１０６ｂに格納される情報の一例を示す図である。
【図６】振替情報データベース１０６ｃに格納される情報の一例を示す図である。
【図７】本発明が適用される代理店用端末装置２００の構成の一例を示すブロック図である。
【図８】本実施形態における本システムのＷＥＢ連動決済による代理店からの保険料徴収処理の一例を示すフローチャートである。
【図９】代理店用端末装置２００のモニタに表示される代理店システムＷｅｂ画面の一例を示す図である。
【図１０】代理店用端末装置２００のモニタに表示されるＷｅｂ振替画面の一例を示す図である。
【図１１】本実施形態における本システムのＷＥＢ連動決済による代理店からの保険料徴収処理の一例を示す概念図である。
【符号の説明】
１００  保険料当日精算装置（商品代金当日精算装置）
１０２  制御部
１０２ａ  要求解釈部
１０２ｂ  閲覧処理部
１０２ｃ  認証処理部
１０２ｄ  電子メール生成部
１０２ｅ  Ｗｅｂページ生成部
１０２ｆ  送信部
１０２ｇ  支払条件指示部
１０２ｈ  精算情報受信部
１０２ｉ  決済機関選択部
１０２ｊ  支払内容確認部
１０２ｋ  振替依頼部
１０２ｍ  支払結果確認部
１０２ｎ  決済状況確認部
１０４  通信制御インターフェース部
１０６  記憶部
１０６ａ  代理店情報データベース
１０６ｂ  精算情報データベース
１０６ｃ  振替情報データベース
１０６ｄ  入金未確定分ワークファイル
１０６ｅ  入金確定分ワークファイル
１０６ｆ  支払結果明細ファイル
１０８  入出力制御インターフェース部
１１２  入力装置
１１４  出力装置
２００  代理店用端末装置（販売代理者用端末装置）
２１０  制御部
２１１  Ｗｅｂブラウザ
２１２  電子メーラ
２２０  ＲＯＭ
２３０  ＨＤ
２４０  ＲＡＭ
２５１  入力装置
２６０  出力装置
２６１  モニタ
２６２  プリンタ
２７０  入出力制御インターフェース
２８０  通信制御インターフェース
２５０  保険会社センターシステム（商品委託者センターシステム）
３００  ネットワーク
４００  金融機関システム
【図１】
2004295812.tif 000003
【図２】
2004295812.tif 000004
【図３】
2004295812.tif 000005
【図４】
2004295812.tif 000006
【図５】
2004295812.tif 000007
【図６】
2004295812.tif 000008
【図７】
2004295812.tif 000009
【図８】
2004295812.tif 000010
【図９】
2004295812.tif 000011
【図１０】
2004295812.tif 000012
【図１１】
2004295812.tif 000013